(57)【要約】【課題】  カバーの前後の両側部に、カバー取り付け時の引き連れ皺ができることを防止し、シャツの仕上がり状態を良くすると共に、カバーの取り付け、取り外し作業の簡単化、迅速化を図り、またカバーを傷めることなく装着できるようにする。【解決手段】  カバー１で被覆されている人体型２と、この人体型２の前後を押圧して人体型２に着せたシャツ３をプレス仕上げするプレス鏝４とを備える。人体型２を、前後に対向状に配置したプレート２ａ、２ｂで側面部２ｃを開口状に形成する。各プレート２ａ、２ｂの内面の両側位置に牽引部材１２を介してフック１１を吊り下げる。カバー１の前垂れ部１ａと後垂れ部１ｂの両側部の直線状を呈する箇所を、管状の袋部１ｃに形成する。この袋部１ｃ内に硬質性の棒１５を収納する。この棒１５の入った袋部１ｃにフック１１を引っ掛けてカバー１の両側部を人体型２の内方に牽引する。【選択図】      図１
2007306995.tif 000002
【特許請求の範囲】
【請求項１】
カバーで被覆されている人体型と、この人体型の前後を押圧して人体型に着せられたシャツをプレス仕上げするプレス鏝とを備え、上記の人体型が、前後に対向状に配置されたプレートで側面部が開口状に形成されているシャツ仕上げ機であって、上記の各プレートの内面の両側位置に牽引部材を介してフックが吊り下げられ、上記カバーの前垂れ部と後垂れ部の両側部の直線状を呈する箇所が管状の袋部に形成され、この袋部内に硬質性の棒が収納され、この棒の入った管状の袋部に上記のフックが引っ掛けられてカバーの両側部が人体型の内方に牽引されていることを特徴とするシャツ仕上げ機。
【請求項２】
請求項１記載のシャツ仕上げ機であって、フックが、手指を引っ掛けるためのリング状の取っ手を備えて形成されていることを特徴とするシャツ仕上げ機。
【請求項３】
請求項１又は２記載のシャツ仕上げ機に使用する人体型装着用のカバーであって、前垂れ部と後垂れ部の両側部の直線状を呈する箇所が管状の袋部に形成され、この袋部内に硬質性の棒が収納されていることを特徴とする人体型装着用のカバー。
【発明の詳細な説明】
【技術分野】
【０００１】
本発明は、シャツ仕上げ機に関し、更に詳しくは洗濯済みのワイシャツ等のシャツを人体型に着せた状態でプレス仕上げするシャツ仕上げ機、及びこの仕上げ機の人体型に装着して使用するカバーに関するものである。
【背景技術】
【０００２】
従来この種の仕上げ機としては、例えばカバーで被覆されている人体型と、この人体型の前後を押圧して人体型に着せられているシャツをプレス仕上げする前後一対のプレス鏝とを備え、上記の人体型が、前後に対向状に配置されたプレートで側面部が開口状に形成されているものがある（例えば特許文献１参照）。
また従来、この種の仕上げ機の人体型を覆うカバーとしては、人体型の前側を覆う前身頃と後側を覆う後身頃とが１枚のシート状に形成され、周辺位置の管状の袋部に紐が通され、この紐を結んだり解くことで、人体型への装着や、脱着を可能にしているものがある（例えば同文献参照）。
【０００３】
ところで従来、この種の仕上げ機は、図１０Ａに示されるように、人体型ａを形成する前後一対状のプレートｂの各内面の両側位置に鉤形状のフックｃが設けられ、カバーｄは人体型ａに紐で縛り付けられた後、側部が上記のフックｃに引っ掛けられて装着されていた。
従って従来、この種の仕上げ機は、同図Ｂに示されるように、カバーｄのフックｃの位置が引き攣れ、人体型ａの前側、後側の両側部に皺ｅが付くのを避けられなかった。そのため従来機によると、この種の皺ｅが、シャツの前後の身頃に鏝痕として付き、シャツの仕上げに悪影響を及ぼす、という問題点があった。
またこの種の仕上げ機は、シャツを人体型に吸着し、プレス時に、シャツに含まれている水分を、人体型の中を介して吸引し、除去するよう構成されている。従ってこの種の仕上げ機は、シャツ仕上げ用の洗濯糊がカバーの布目や縫い目に入り込み、カバーが汚れるのを避けられないため、定期的にカバーの交換が必要になる。この場合、カバーの交換中は、仕上げ機の運転を停止する必要があるから、この種の仕上げ機及びカバーは、カバーの交換を簡単、迅速にできるよう形成されているのが望ましい。
しかるに従来は、上記の通り、人体型の左右の側部に設けられているフックの一つ一つにカバーの側部を引っ掛けてカバーを取り付ける構造であった。
従って従来のこの種のシャツ仕上げ機及びカバーによると、カバーの交換に手間暇がかかる、という問題点があった。また従来は、上記の通り、カバーの側部を人体型の中に引き寄せてフックに引っ掛ける構造のため、カバーの側部がフックで傷み、破ける惧れもあった。
【特許文献１】特開２００３−２４６９９号公報
【発明の開示】
【発明が解決しようとする課題】
【０００４】
本発明は、このような従来の問題点に鑑み、提案されたものである。
従って本発明の解決しようとする技術的課題は、カバーの前後の両側部に、カバー取り付け時の引き連れ皺ができることを防止し、シャツの仕上がり状態を良くすると共に、カバーの取り付け、取り外し作業の簡単化、迅速化を図り、またカバーを傷めることなく装着できるよう形成したシャツ仕上げ機、及びこの仕上げ機に使用する同様の効果を得られる人体型装着用のカバーを提供することにある。
【課題を解決するための手段】
【０００５】
本発明は、上記の課題を解決するため、次のような技術的手段を採る。
即ち本発明は、図１等に示されるように、カバー１で被覆されている人体型２と、この人体型２の前後を押圧して人体型２に着せられたシャツ３をプレス仕上げするプレス鏝４とを備え、上記の人体型２が、前後に対向状に配置されたプレート２ａ、２ｂで側面部２ｃが開口状に形成されているシャツ仕上げ機であって、上記の各プレート２ａ、２ｂの内面の両側位置に牽引部材１２を介してフック１１が吊り下げられ、上記カバー１の前垂れ部１ａと後垂れ部１ｂの両側部の直線状を呈する箇所が管状の袋部１ｃに形成され、この袋部１ｃ内に硬質性の棒１５が収納され、この棒１５の入った管状の袋部１ｃに上記のフック１１が引っ掛けられてカバー１の両側部が人体型２の内方に牽引されていることを特徴とする（請求項１）。
【０００６】
本発明の場合、牽引部材１２としては、例えば引っ張りコイルバネやゴム紐等がある。フック１１は、通常、各プレート２ａ、２ｂの両側位置の上下方向における略中央部に、１個づつ設けられるのが良い。なぜならこれによれば、最低の個数（１個）で、カバー１の側部の全体をバランス良く、且つ最低限の手間暇で効率良く牽引できることからである。なお本発明の場合、フック１１の形態は任意である。またここで、硬質性の棒１５としては、例えば金属製や硬質樹脂製の丸棒がある。本発明の場合、この棒１５は、カバー１の直線状を呈する箇所の縦寸法（管状の袋部１ｃの長さ）と同じ長さに形成されているのが良いが、これに限定されるものではなく、カバー１の側部に引き攣れ皺が生じない範囲で、適宜の長さに形成されているのでも良い。
【０００７】
又本発明は、フック１１が、手指を引っ掛けるためのリング状の取っ手１４を備えて形成されているのが好ましい（請求項２）。
なぜならこれによると、取っ手１４を介してフック１１を人体型２の中から引き出し、管状の袋部１ｃに引っ掛ける操作を容易化できるからである。
【０００８】
而して本発明のシャツ仕上げ機に使用する人体型装着用のカバー１としては、前垂れ部１ａと後垂れ部１ｂの両側部の直線状を呈する箇所が管状の袋部１ｃに形成され、この袋部１ｃ内に硬質性の棒１５が収納されているものがある（請求項３）。
ここで、硬質性の棒１５の意味やその長さ等は、上記と同様である。
【発明の効果】
【０００９】
本発明のシャツ仕上げ機は、このように人体型を形成する前後一対状のプレートの内面の両側位置に牽引部材を介してフックが吊り下げられ、カバーの前垂れ部と後垂れ部の両側部の直線状を呈する箇所が管状の袋部に形成され、この袋部内に硬質性の棒が収納され、この棒の入った管状の袋部にフックが引っ掛けられてカバーの両側部が人体型の内方に牽引されているものである。
また本発明のカバーは、前垂れ部と後垂れ部の両側部の直線状を呈する箇所が管状の袋部に形成され、この袋部内に硬質性の棒が収納されているものである。
従って本発明の仕上げ機及びカバーは、フックが管状の袋部に引っ掛けられると、硬質性の棒により人体型の側部が上下方向の長い範囲にわたって人体型の内方に引かれるから、人体型に装着したカバーの前後の両側部に、皺が局部的に生じることを防止できる。
その結果本発明によると、この種の皺がシャツの仕上げに悪影響を及ぼすことを防止でき、シャツを綺麗に仕上げることができる。
また本発明によると、カバーの側部の全体を一度の操作で牽引できるから、カバーの交換作業を、簡単化、迅速化できる。
更に本発明は、フックを、棒の入った袋部に引っ掛けて牽引する構造であるから、これによれば、カバーの側部に無理な力が加わることを防止でき、カバーを傷めることがない。
【発明を実施するための最良の形態】
【００１０】
以下、本発明を実施するための最良の形態を説明する。
本発明のシャツ仕上げ機は、図１等に示されるように、カバー１で被覆されている人体型２と、この人体型２の前後を押圧して人体型２に着せられた例えばワイシャツ等のシャツ３をプレス仕上げするプレス鏝４とを備え、上記の人体型２が、前後に対向状に配置されたプレート２ａ、２ｂで側面部２ｃが開口状に形成されている。
【００１１】
プレス鏝４は、この実施形態では図２に示されるように、人体型２の側方に配置され、人体型２の前後の位置にスライド動作自在に形成されている。またこのプレス鏝４は、内部にスチームが供給され、加熱可能に形成されている。５は、人体型２の両側に設けられている左右一対の支持腕である。この支持腕５は、エアシリンダ６により、下部の枢着軸７を中心に人体型２の側方に傾倒したり、人体型２の方向に起立可能に形成されている。支持腕５は、その上部に、シャツ３の袖先が差し込まれてセットされるアイロン台８と、シャツ３のタック及びカフスをプレス仕上げするための熱鏝９と、半袖シャツの袖先を挟み付けて固定するためのクランプ装置１０等を備えて形成されている。
【００１２】
１１は、先端１１ａが二つ割りの鉤爪状に形成されているフックである。このフック１１は、上記の各プレート２ａ、２ｂの内面の両側位置に、牽引部材１２を介して吊り下げられている。またこのフック１１は、この実施形態では人体型２の側部の上下方向における略中央位置に、フック１１を引き出すとき干渉しないよう、前側のプレート２ａの方が、後側のプレート２ｂのフック１１よりも、少し低い状態で高さがずらされて１個づつ設けられている。
【００１３】
１３は、フック１１を吊り下げるため、各プレート２ａ、２ｂの内面に溶接されている金属製の起立片である。この起立片１３には、上辺から縦にスリット状の切り欠き１３ａが形成され、この切り欠き１３ａの下端１３ｂが人体型２の内方に向かって鉤形に屈曲されている。牽引部材１２は、この実施形態では引っ張りコイルバネで形成され、図７等に示されるように、その環状の基端１２ａが上記の切り欠き１３ａに係合されると共に、屈曲状の下端１３ｂに係合され、起立片１３に抜け落ちないよう取り付けられている。また牽引部材１２としての引っ張りコイルバネの環状の先端１２ｂは、フック１１の基端の孔１１ｂに輪掛けされている。
【００１４】
またフック１１は、手指を引っ掛けるためのリング状の取っ手１４を備えて形成されている。１１ｃは、取っ手１４をフック１１に接続するための取付部である。この取付部１１ｃは、フック１１の板面部に、フック１１の長手方向に沿って切断ライン１１ｄ（図３参照）が平行に入れられ、この切断ライン１１ｄの間が凸湾曲状に押し出されることにより、取っ手１４を輪掛け可能になるよう形成されている。
【００１５】
而して本発明のカバー１は、人体型２に掛けられてその前後を覆う前垂れ部１ａと後垂れ部１ｂとが一枚のシート状に形成されている。そして前垂れ部１ａと後垂れ部１ｂの両側部の直線状を呈する箇所が、管状の袋部１ｃに形成されている。この袋部１ｃは、前垂れ部１ａと後垂れ部１ｂの両側部の生地が管状に折り返されると共に、端が縫合されることにより形成されている。そして本発明のカバー１は、この袋部１ｃ内に硬質性の棒１５としての、例えば金属製の丸棒が収納されている。上記のフック１１は、この棒１５の入った管状の袋部１ｃに引っ掛けられ、これによりカバー１の両側部が人体型２の内方に牽引されている。
【００１６】
また本発明のカバー１は、前垂れ部１ａの下部の両側に、人体型２の側部の下方位置を覆う腰巻状の覆い部１ｄが接続されている。この覆い部１ｄは、人体型２の後側に回されて両端部が例えばファスナーで後垂れ部１ｂの下部の両側に連結されている。また前垂れ部１ａと後垂れ部１ｂの周辺位置には、人体型２に前垂れ部１ａ等を一度の操作で取り付けるための紐（図示せず）が設けられている。またカバー１は、シャツ３の脇を張り出して緊張する弓形の脇張り出し部材１６（図６参照）を覆うための弓覆い部１ｅが、腰巻状の覆い部１ｄに接続されている。脇張り出し部材１６は、常時は人体型２の中に収納されている。なお１ｆ（図１、図７等参照）は、面状のパッド材である。
【００１７】
次に本発明の使用例を説明する。
先ず作業者は、取っ手１４に手指を掛け、吊り下げられている状態のフック１１を、牽引部材１２の牽引力に抗して人体型２の中から外側に引き出し、次にこのフック１１をカバー１の管状の袋部１ｃに引っ掛ける（図１、図８、図９参照）。本発明は、上記の通り、袋部１ｃ内に硬質性の棒１５が収納されている。従ってカバー１はフック１１で牽引されると、その牽引力がカバー１の側部に、上下方向の長い範囲にわたって均等に加わる。その結果、本発明によると、カバー１は、側部に局部的な皺が生じることなく、人体型２に綺麗に装着される。
【００１８】
而してカバー１を取り付けるときは、先ず作業者は人体型２にカバー１の前垂れ部１ａと後垂れ部１ｂを掛け、周辺位置の紐を使用して人体型２に縛り付ける。次に作業者は、弓形の脇張り出し部材１６を弓覆い部１ｅで覆う。そしてカバー１の隅等の適宜位置から引き出されている紐や面状ファスナーを利用し、カバー１を人体型２に取り付ける。
なおカバー１を脱がす場合は、先ず作業者は取っ手１４を利用してフック１１を少し外方に引き、管状の袋部１ｃからフック１１を取り外す。次に作業者は、上例と逆の手順で前垂れ部１ａや後垂れ部１ｂ、また弓覆い部１ｅを、人体型２及び脇張り出し部材１６から取り外す。従って本発明によると、フック１１を袋部１ｃに引っ掛けたり、袋部１ｃから取り外すことで、カバー１の側部の全体を人体型２に、簡単、迅速、綺麗に、また生地を傷めることなく着脱できる。
【図面の簡単な説明】
【００１９】
【図１】本発明のシャツ仕上げ機の好適な一実施形態を示す一部を切欠した要部斜視図である。
【図２】同上シャツ仕上げ機の正面図である。
【図３】フックの正面図である。
【図４】フックの左側面図である。
【図５】フックの平面図である。
【図６】同上シャツ仕上げ機の要部正面図である。
【図７】図６のＶＩＩ−ＶＩＩ線における要部拡大断面図である。
【図８】後側のプレートに取り付けられているフックの使用状態時の要部正面図である。
【図９】図８のＩＸ−ＩＸ線における要部断面図である。
【図１０】従来例を示し、Ａは人体型の要部横断面図、Ｂは要部斜視図である。
【符号の説明】
【００２０】
１      カバー
１ａ    前垂れ部
１ｂ    後垂れ部
１ｃ    管状の袋部
２      人体型
２ａ    前側のプレート
２ｂ    後側のプレート
２ｃ    側面部
３      シャツ
４      プレス鏝
１１    フック
１２    牽引部材
１５    硬質性の棒
【図１】
2007306995.tif 000003
【図２】
2007306995.tif 000004
【図３】
2007306995.tif 000005
【図４】
2007306995.tif 000006
【図５】
2007306995.tif 000007
【図６】
2007306995.tif 000008
【図７】
2007306995.tif 000009
【図８】
2007306995.tif 000010
【図９】
2007306995.tif 000011
【図１０】
2007306995.tif 000012